(57)【要約】　【課題】　泡シャワー浴を簡便に行えるようにすること。　【解決手段】　ブース内部空間８２から防湿的に配置されたコンプレッサ２１その他の電気機器と、洗剤溶液を貯溜し、前記コンプレッサ２１から圧送された空気が前記洗剤溶液内に噴出したときに所定温度の温泡を発生する温泡発生装置３と、前記ブース内部空間８２に設置された椅子９０の背凭れ部９４近傍に形成されて前記温泡を前記椅子９０の座部９２に着座する人に吐出する吐出機構４ａ・４ａ‘とを備えた、泡式シャワー浴システムを構成した。　【選択図】　図１
2004105716.tif 000002
【特許請求の範囲】
【請求項１】
ブース内部空間から防湿的に配置されたコンプレッサその他の電気機器と、洗剤溶液を貯溜し、前記コンプレッサから圧送された空気が前記洗剤溶液内に噴出したときに所定温度の温泡を発生する温泡発生装置と、前記温泡を椅子の座部に着座する人に吐出する吐出機構とを備えた、泡式シャワー浴システム。
【請求項２】
請求項１において、前記温泡発生装置を前記椅子の内部に配設した、泡式シャワー浴システム。
【請求項３】
ブース内部空間から防湿的に配置されたコンプレッサその他の電気機器と、内部に洗剤溶液を貯溜し、前記コンプレッサから圧送された空気が前記洗剤溶液内に噴出したときに所定温度の温泡を発生する椅子と、前記温泡を前記椅子に着座する人に吐出する吐出機構とを備えた、泡式シャワー浴システム
【発明の詳細な説明】
【技術分野】
【０００１】
　本発明は、本発明は、泡式シャワー浴システムに関する。
【背景技術】
【０００２】
　従来から、泡式入浴を可能ならしめる装置は、種種提供されている。ここに泡式入浴とは、浴槽内に温泡を充満させて行う入浴若しくは身体の一部に温泡を付着させて行う入浴をいう。従来の泡式入浴のための装置としては、例えば特許文献１に開示されているものがある。この装置においては、泡を発生する温泡発生装置にブロワから加熱された空気を供給し、この空気圧でもって泡を温泡としてエア袋形態の浴槽内にホースを介して供給し、浴槽内に位置する使用者の身体を温泡にて満身包囲するようになっている。しかして、上記の加熱された空気は、具体的には、ブロアから温泡発生装置に至る流路管の内部にヒータを配置することにより、生成される。また、上記した温泡入浴装置は、身障者や寝たきり老人のために提供されたものであって、これらの方々の居室ないしは病室で使用できるように、温泡発生装置、ホース及びエア袋形態浴槽の３つの部分に、分解可能となっている。
【特許文献１】特開２０００−８３８５１号公報
【発明の開示】
【発明が解決しようとする課題】
【０００３】
　上記した温泡入浴装置は、身障者や寝たきり老人のために提供されたものではあるが、健常者が使用して十分な入浴満足を得るものである。かようなことから、上記した温泡浴をもっと手軽に利用したいという要請があるが、上記した装置は、構造が複雑で、使用前の組み立て及び使用後の分解は、煩に耐え得ず、とうてい、この要請に応じ得るものではない。
【０００４】
　それ故に、本発明は、簡便に温泡浴を実現出来るようにすることを、その課題とする。
【課題を解決するための手段】
【０００５】
　上記の課題を解決するために請求項１で講じた技術的手段は、「ブース内部空間から防湿的に配置されたコンプレッサその他の電気機器と、洗剤溶液を貯溜し、前記コンプレッサから圧送された空気が前記洗剤溶液内に噴出したときに所定温度の温泡を発生する温泡発生装置と、前記温泡を椅子の座部に着座する人に吐出する吐出機構とを備えた、泡式シャワー浴システム」を構成したことである。　
　上記の課題を解決するために請求項２で講じた技術的手段は、「請求項１において、前記温泡発生装置を前記椅子の内部に配設した、泡式シャワー浴システム」を構成したことである。
【０００６】
　上記の課題を解決するために請求項３で講じた技術的手段は、「ブース内部空間から防湿的に配置されたコンプレッサその他の電気機器と、内部に洗剤溶液を貯溜し、前記コンプレッサから圧送された空気が前記洗剤溶液内に噴出したときに所定温度の温泡を発生する椅子と、前記温泡を前記椅子に着座する人に吐出する吐出機構とを備えた、泡式シャワー浴システム」を構成したことである。
【発明の効果】
【０００７】
　請求項１に記載の発明によれば、泡シャワー浴を簡便に行え、実用上、多大な効果を奏する。
【０００８】
　請求項２に記載の発明によれば、請求項１記載の発明の効果に加え、省スペース化を図ることが出来る。同時に温泡発生装置と吐出機構との距離を短くでき温泡の移動の際の温度低下を最小限に抑えることが出来る。
【０００９】
　請求項３に記載の発明によれば、泡シャワー浴を簡便に行えることに加え、温泡発生のための空間を画成するための固有の部材をなくすることができ（つまり温泡発生のための空間を画成するための部材を椅子で賄うことができ）実用上、多大な効果を奏する。同時に発生した温泡の吐出機構への移動距離を短くでき温泡の移動の際の温度低下を最小限に抑えることが出来る。
【発明を実施するための最良の形態】
【００１０】
　以下、本発明を実施するための最良の形態を、図面を基に説明する。
【００１１】
　この実施形態は、使用者がシャワーブース８０の内部空間８２に設置された椅子９０の腰掛けてシャワー浴を行う、泡式シャワー浴システムするいわゆる椅子座型の泡式入浴バスシステムである。図１においては本実施形態の泡式シャワー浴システムを右前方から見た全体斜視図が示され、図２においては本実施形態の泡式シャワー浴システムを左後方から見た全体斜視図が示される。なお、図２には、椅子１の背部に組み込まれた温泡発生装置をも併せて示してある。図３には、その温泡発生装置３を構成する泡発生部の構造とその泡発生部が泡を発生させている様子を示す。
【００１２】
　図１および図２に示すように、本実施形態の泡式シャワー浴システムは、使用者入浴者が腰掛けるための椅子９０を備える。椅子９０は、座部９２と背凭れ部９４とから構成される。椅子９０の背凭れ部９４の内部は温泡発生装置３が組み込まれている。温泡発生装置３には、使用者の身体に温泡を吐出する３本のダクト４、４'が接続される。尚、泡式シャワー浴システムには、温水を入浴者に噴霧するための２本のシャワーノズル５が併設されている。
【００１３】
　温泡が供給されるダクト４、４'は、使用者の左右前方上部から温泡を吐出しする吐出口４ａを有する一対のダクト４（以下、「体前部側ダクト４」という）と、使用者の背中の上部から温泡を吐出する吐出口４'ａを有するダクト４'（以下、「背中側ダクト４'」という）とに大別することができる。
【００１４】
　温泡発生装置３は、ダクト４、４'が接続する泡発生部１０と、その泡発生部１０にバブリングのための空気を供給する空気供給部２０とからなり、空気供給部２０は、圧縮空気を作り出すコンプレッサ２１と、コンプレッサ２１からの圧縮空気を泡発生部１０に送給する空気送給管２２とから構成されている。しかしてコンプレッサ２１は防湿構造となっているが、ブース８０の天井に設置すれば、防湿構造とする必要はない。
【００１５】
　泡発生部１０は、図３に示すように、洗剤溶液１４を貯溜する容器体１１と、洗剤溶液１４をバブリングするためのノズル１２とからなる。容器体１１は、その上部に、発生した温泡を放出する３つの泡放出口１１ａを有し、泡放出口１１ａはそれぞれ上記ダクト４、４'が接続されている。ノズル１２は、一端が閉塞されたパイプ状をなし、洗剤溶液１４に液没し、その側面には、水平位置において分散するように同じ径を有する円形の空気噴出孔１３が設けられており、他端部は、空気送給管２２につながっている。なお、容器体１１の内部は、２枚の仕切板１５によって３つの部屋に仕切られている。なお、洗剤溶液１４は、図示していない注入口より所定温度のものを注入できるようになっている。尚、洗剤溶液１４の容器体１１内への補給は、椅子９０の背凭れ部９４に嵌めこまれた蓋（図示略）をはずして行うことができる。
【００１６】
　次に温泡の発生の機構について説明する。コンプレッサ２１を作動させて、空気をノズル１２に送り込むと、その空気は、ノズル１２に設けられたそれぞれの空気噴出孔１３から噴出する際に、洗剤溶液１４内に泡を発生させる（バブリング）。本泡発生部１０では、空気噴出孔１３は同じ径の孔であることから、発生する泡も略同じ体積の泡となる。空気噴出孔１３が水平位置に分散して存在することから、洗剤溶液１４は、バブリングによっても乱流状態とならず、発生した泡は、融合等を生じず、整然と洗剤溶液１４の液面に向かって浮上する。そして浮上した泡は、容器体１１の洗剤溶液１４が存在しない上部空間を、次々に発生する泡に押し上げられるように上方に移動し、泡放出口１１ａから放出される。ちなみに、放出される泡は、洗剤溶液１４が所定の温度に暖められており、その温度は温浴に適した温度の温泡となる。
【００１７】
　泡放出口１１ａは、はそれぞれのダクト４、４'に接続されていることから、放出された温泡は、次々に発生する泡の圧力によって、ダクト４、４'内を移送される。ダクト４、４'を移送された泡は、吐出口４ａ、４'ａからカバー２によって区画された空間内に吐出されて供給される。
【００１８】
　なお、容器体１１は２枚の仕切板１５で仕切られて３つの部屋に区画されているため、それぞれの部屋で発生した温泡は、その部屋の泡放出口１１ａから放出されてそれぞれのダクト４、４'に導かれることになる。この仕切板１５は、なくても構わないが、本実施形態のように、仕切板によって区画する場合、その区画される部屋の大きさを変えることで、それぞれのダクトから吐出される温泡の吐出量を変えることができる。
【００１９】
　次に、本実施形態の泡式シャワー浴システムの使用について説明する。シャワーブース内に入室した使用者は椅子９０の座部９２に着座する。その後に、上記機構によって発生する温泡を、ダクト４、４'から吐出させると、使用者は温泡に晒される。これにより、使用者はあたかも温泡に「つかる」ような状態となる。
【００２０】
　使用者は、自分の手で、自分の体を擦るようにして、体表面の汚れ、垢等を除去することができる。なお、使用者にハンディがある場合は、介助者がパフを用いて使用者の体を擦ることで、使用者の体を清浄することができる。
【００２１】
　入浴者の体が充分に清浄化され、また、温泡が、満身、晒されることにより充分な温浴効果が得られた後、シャワーノズル５から、適温水を噴霧させる。この適温水のシャワーにより、温泡は効果的に消泡し、また、使用者の体表面に残存する汚れ等を除去して体を洗い流すことができる。シャワーの後、ブース空間内で、あるいは退室してから、使用者の体に残存する水分をタオル等によって拭い去り、泡式シャワー浴システムが完了する。なお、温泡を形成していた洗剤溶液およびシャワーの水は、下部に設置された水受パン６に溜められ、その後排水される。
【００２２】
　本実施形態の泡式シャワー浴システムでは、使用者の背中部に温泡を吐出する背中側ダクト４'と体前部に温泡を吐出する体前部側ダクト４を有していることから、使用者が障壁となることに起因する温泡の偏在は起こりにくい。また、本泡式シャワー浴システムでは、それぞれのダクト４、４ａはその吐出口４ａ、４'ａがカバー２によって形成される空間の上部に存在するように構成されていることから、吐出される温泡は空間の下部から積み重なるように供給され、比較的温度の高い温泡が供給される場合でも、次々と吐出する泡が体の同じ部位に直接触れることが少なく、極端な熱さを感じることなく快適な泡式シャワーが可能となる。更には、冬場の寒い時期にも使用者は温泡をまとうことにより（つまり温泡をして使用者を満身包囲せしめて）、寒さを感じない泡式シャワー浴が可能となる。
【００２３】
　尚、図４に示すように、コンプレッサ２１をブース８０の天井裏に設けるとともに、容器体１１を椅子９０の座部９２内に配置しても良い。座部９２を開放可能とすることで、容器体１１への洗剤溶液の補充を容易に行うことができる。
【００２４】
　また、図５及び図６に示すように、コンプレッサ２１をブース８０の天井裏に設けるとともに、椅子９０の内部空間自体を泡発生部ないしは温泡発生装置としても良い、すなわち、座部９２を開放して椅子９０の内部に所定量の洗剤溶液１４を注入し、座部９２を閉じれば、コンプレサ２１から圧送されたエアを空気送気管２２の先端部が吐出させると、洗剤溶液１４内に温泡が多数発生する。この温泡は、背凭れ部９４の内部を上昇して、背凭れ部９４に形成された一対の穴４ｘ・４ｘを介して吐出されて、図示されない使用者の身体に付着される。かような構成を採用することにより、部材の共通化を図り、構造の簡素化並びに製造コストの低減を図ることが出来る。
【図面の簡単な説明】
【００２５】
【図１】本発明に係る泡式シャワー浴システムの右前方から見た全体斜視図。
【図２】本発明に係る泡式シャワー浴システムの左後方から見た全体斜視（ただし、椅子の背凭れ部に収容された温泡発生装置を併せて示す）。
【図３】図２に示す温泡発生装置の泡発生部を説明する図。
【図４】図１に示す泡式シャワー浴システムの第１変形例の模式図。
【図５】図１に示す泡式シャワー浴システムの第２変形例の模式図。
【図６】図５に示す装置の椅子の背凭れ部の部分の部分正面図。
【符号の説明】
【００２６】
　　３　温泡発生装置
　２１　コンプレッサ
　８０　ブース
　８２　ブース空間
　９０　　椅子
　９２　座部
　９４　背凭れ部
【図１】
2004105716.tif 000003
【図２】
2004105716.tif 000004
【図３】
2004105716.tif 000005
【図４】
2004105716.tif 000006
【図５】
2004105716.tif 000007
【図６】
2004105716.tif 000008